(57)【要約】      （修正有）【課題】印刷物によるクリアファイルの変形を軽減する。【解決手段】吐出データ生成部は、複数色のインクを吐出して印刷を行うインクジェット印刷装置による印刷に用いられる各色のインクの吐出データを、印刷画像データに基づき生成する。吐出データ生成部は、各色のインクの吐出データによる各色のインクの吐出量、および各色のインクのクリアファイルに対する変形させやすさを示すクリアファイル変形影響度に基づき算出されるクリアファイル変形インク量Ｖｇが閾値を超える場合、クリアファイル変形インク量が閾値以下となるように、各色のインクの吐出データによる各色のインクの吐出量を調整するインク量調整処理を行うＳ２０。【選択図】図６
2020121426.tif 000002
【特許請求の範囲】
【請求項１】
複数色のインクを吐出して印刷を行うインクジェット印刷装置による印刷に用いられる各色のインクの吐出データを、印刷画像データに基づき生成する吐出データ生成部を備え、
前記吐出データ生成部は、各色のインクの吐出データによる各色のインクの吐出量、および各色のインクのクリアファイルに対する変形させやすさを示すクリアファイル変形影響度に基づき算出されるクリアファイル変形インク量が閾値を超える場合、前記クリアファイル変形インク量が閾値以下となるように、各色のインクの吐出データによる各色のインクの吐出量を調整するインク量調整処理を行うことを特徴とする画像処理装置。
【請求項２】
請求項１に記載の画像処理装置と、
前記複数色のインクを吐出して印刷を行う印刷部とを備え、
前記複数色のインクのうち、印刷時の明度が最も低い色のインクが、前記クリアファイル変形影響度が最も大きく、
前記吐出データ生成部は、前記インク量調整処理において、印刷時の明度が最も低い色のインクの吐出量の少なくとも一部を、少なくとも他の一色のインクの吐出量に置き換える処理を行うことを特徴とするインクジェット印刷装置。
【発明の詳細な説明】
【技術分野】
【０００１】
本発明は、画像処理装置およびインクジェット印刷装置に関する。
【背景技術】
【０００２】
インクジェットヘッドのノズルからインクの液滴を吐出して印刷媒体に着弾させ、画像を形成するインクジェット印刷装置が知られている。
【０００３】
このようなインクジェット印刷装置において、油性インクが使用されることがある（特許文献１参照）。油性インクは、一般に、石油系炭化水素溶剤等を非水系溶剤として用いて構成されている。このような油性インクは、ポリプロピレン等の素材を膨潤させる性質がある。
【０００４】
このため、上述のような油性インクを用いるインクジェット印刷装置によって印刷された印刷物を、ポリプロピレンを主成分とするクリアファイルに挟んで保管すると、クリアファイルが変形（カール）する現象が生じる。
【０００５】
これに対し、ポリプロピレンの膨潤を抑制できる溶剤を採用した油性インクであれば、上述したクリアファイルの変形を抑制することが可能である。
【先行技術文献】
【特許文献】
【０００６】
【特許文献１】特開２００９−２７５２２１号公報
【発明の概要】
【発明が解決しようとする課題】
【０００７】
しかしながら、クリアファイルの変形（ポリプロピレンの膨潤）を抑制しつつ、インクジェット方式に適した低粘度、低極性の溶剤を選定すると、一般に、油性インクの表面張力が低下してしまう。また、油性インクのクリアファイルの変形を抑制する性能を高くするほど、表面張力は小さくなる。
【０００８】
ここで、インクジェット印刷装置では、インクの表面張力が小さいほど、インクミストが発生しやすい。すなわち、クリアファイルの変形を抑制する性能が高いインクほど、インクミストが多くなり、インクミストによる印刷物や装置内部の汚れ（ミスト汚れ）が発生しやすい。これに対し、ミスト汚れを抑えられるようなインクを用いると、印刷物によるクリアファイルの変形を十分に抑えられないことがある。
【０００９】
本発明は上記に鑑みてなされたもので、印刷物によるクリアファイルの変形を軽減できる画像処理装置およびインクジェット印刷装置を提供することを目的とする。
【課題を解決するための手段】
【００１０】
上記目的を達成するため、本発明の画像処理装置は、複数色のインクを吐出して印刷を行うインクジェット印刷装置による印刷に用いられる各色のインクの吐出データを、印刷画像データに基づき生成する吐出データ生成部を備え、前記吐出データ生成部は、各色のインクの吐出データによる各色のインクの吐出量、および各色のインクのクリアファイルに対する変形させやすさを示すクリアファイル変形影響度に基づき算出されるクリアファイル変形インク量が閾値を超える場合、前記クリアファイル変形インク量が閾値以下となるように、各色のインクの吐出データによる各色のインクの吐出量を調整するインク量調整処理を行うことを特徴とする。
【００１１】
本発明のインクジェット印刷装置は、上記本発明の画像処理装置と、前記複数色のインクを吐出して印刷を行う印刷部とを備え、前記複数色のインクのうち、印刷時の明度が最も低い色のインクが、前記クリアファイル変形影響度が最も大きく、前記吐出データ生成部は、前記インク量調整処理において、印刷時の明度が最も低い色のインクの吐出量の少なくとも一部を、少なくとも他の一色のインクの吐出量に置き換える処理を行うことを特徴とする。
【発明の効果】
【００１２】
本発明によれば、印刷物によるクリアファイルの変形を軽減できる。
【図面の簡単な説明】
【００１３】
【図１】実施の形態に係るインクジェット印刷装置の構成を示すブロック図である。
【図２】図１に示すインクジェット印刷装置の搬送部および印刷部の概略構成図である。
【図３】インクの表面張力およびクリアファイル変形影響度を示す図である。
【図４】置換テーブルを示す図である。
【図５】インクジェット印刷装置の動作を説明するためのフローチャートである。
【図６】インク量調整処理のフローチャートである。
【発明を実施するための形態】
【００１４】
以下、本発明の実施の形態について、図面を参照して説明する。各図面を通じて同一もしくは同等の部位や構成要素には、同一もしくは同等の符号を付している。
【００１５】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
図１は、本発明の実施の形態に係るインクジェット印刷装置の構成を示すブロック図である。図２は、図１に示すインクジェット印刷装置の搬送部および印刷部の概略構成図である。なお、以下の説明において、図２における紙面の上下左右を上下左右方向とする。また、図２の紙面に直交する方向を前後方向とする。
【００１７】
図１に示すように、本実施の形態に係るインクジェット印刷装置１は、搬送部２と、印刷部３と、制御部４とを備える。
【００１８】
搬送部２は、図示しない給紙部から給紙された印刷媒体である用紙Ｐを搬送する。図２の左から右に向かう方向が、用紙Ｐの搬送方向である。搬送部２は、搬送ベルト１１と、駆動ローラ１２と、従動ローラ１３〜１５と、搬送モータ１６と、ファン１７とを備える。
【００１９】
搬送ベルト１１は、用紙Ｐを吸着保持して搬送する。搬送ベルト１１は、駆動ローラ１２および従動ローラ１３〜１５に掛け渡される環状のベルトである。搬送ベルト１１には、用紙Ｐを吸着保持するための貫通穴である複数のベルト穴（図示せず）が形成されている。搬送ベルト１１は、ファン１７によるエア吸引によりベルト穴に発生する吸着力により、搬送面（上面）１１ａ上に用紙Ｐを吸着保持する。搬送ベルト１１は、図２における時計回り方向に回転することで、吸着保持した用紙Ｐを右方向に搬送する。
【００２０】
駆動ローラ１２は、搬送ベルト１１を図２における時計回り方向に回転させる。
【００２１】
従動ローラ１３〜１５は、駆動ローラ１２とともに搬送ベルト１１を支持する。従動ローラ１３〜１５は、搬送ベルト１１を介して駆動ローラ１２に従動回転する。従動ローラ１３は、駆動ローラ１２と同じ高さで、駆動ローラ１２の左方に配置されている。従動ローラ１４，１５は、駆動ローラ１２および従動ローラ１３より下方において、互いに左右方向に離間して、同じ高さに配置されている。
【００２２】
搬送モータ１６は、駆動ローラ１２を回転駆動させる。
【００２３】
ファン１７は、下方向への気流を生じさせる。これにより、ファン１７は、搬送ベルト１１のベルト穴を介して空気を吸引してベルト穴に負圧を発生させ、用紙Ｐを搬送ベルト１１の搬送面１１ａ上に吸着させる。ファン１７は、搬送ベルト１１に囲まれた領域に配置されている。
【００２４】
印刷部３は、搬送部２により搬送される用紙Ｐに画像を印刷する。印刷部３は、搬送部２の上方に配置されている。印刷部３は、インクジェットヘッド２１Ｋ，２１Ｃ，２１Ｍ，２１Ｙを備える。なお、以下において、インクジェットヘッド２１Ｋ，２１Ｃ，２１Ｍ，２１Ｙの符号におけるアルファベットの添え字を省略して総括的に表記することがある。
【００２５】
インクジェットヘッド２１は、搬送ベルト１１により搬送される用紙Ｐにインクを吐出する。インクジェットヘッド２１は、ノズル列（図示せず）を有する。ノズル列は、主走査方向（前後方向）に沿って配置された複数のノズル（図示せず）からなる。ノズルは、インクジェットヘッド２１の下面であるノズル面２１ａに開口し、インクを吐出する。インクジェットヘッド２１は、１つのノズルから１つの画素に対して複数のインク滴を吐出可能なマルチドロップ方式のものであり、インク滴の数であるドロップ数（吐出量）により濃度を表現する階調印刷を行う。
【００２６】
インクジェットヘッド２１Ｋ，２１Ｃ，２１Ｍ，２１Ｙは、用紙Ｐの搬送方向である副走査方向（左右方向）に沿って並列して配置されている。インクジェットヘッド２１Ｋ，２１Ｃ，２１Ｍ，２１Ｙは、それぞれブラック（Ｋ）、シアン（Ｃ）、マゼンタ（Ｍ）、イエロー（Ｙ）のインクをノズルから吐出する。
【００２７】
インクジェットヘッド２１が吐出するインクは、印刷物によるクリアファイルの変形を抑制できる溶剤が採用された油性インクである。すなわち、インクジェットヘッド２１が吐出するインクは、ポリプロピレンの膨潤を抑制しつつ、インクジェット方式に適した低粘度、低極性の溶剤を含む油性インクである。例えば、インクジェットヘッド２１が吐出するインクは、非水系溶剤としてシリコーンオイルを含む油性インクである。
【００２８】
また、図３に示すように、印刷時の明度が最も低い色のインクであるブラックインクが、４色のインクのなかで最も表面張力が大きい。
【００２９】
ここで、インクの表面張力は、インクが含む各種の溶剤の比率により変化する。印刷物によるクリアファイルの変形を抑制できる溶剤を含む本実施の形態の油性インクでは、当該溶剤の比率の調整により、インクのクリアファイルに対する変形させやすさを示す指標であるクリアファイル変形影響度を小さくするほど、表面張力は小さくなる。
【００３０】
すなわち、図３に示すように、インクジェット印刷装置１では、４色（Ｋ，Ｃ，Ｍ，Ｙ）のインクのなかで、ブラックインクが、クリアファイル変形影響度が最も大きい。換言すれば、ブラックインク以外の各色のインクは、ブラックインクよりも、クリアファイルの変形を抑制する性能（クリアファイル変形抑制性能）が高い。
【００３１】
一方、インクの表面張力が大きいほど、すなわち、クリアファイル変形影響度が大きいほど、インク吐出時に発生するインクミストが少ない。したがって、インクジェット印刷装置１では、ブラックインクは、他の各色のインクよりも、インクミストが発生しにくいものになっている。
【００３２】
制御部４は、インクジェット印刷装置１全体の動作を制御する。制御部４は、メカ制御部３１と、画像処理部（画像処理装置に相当）３２と、ヘッド制御部３３とを備える。制御部４の各部は、ＣＰＵ、ＲＡＭ、ＲＯＭ、ハードディスク等によってソフトウェア的またはハードウェア的に実現できる。
【００３３】
メカ制御部３１は、搬送部２を制御して用紙Ｐを搬送させる。
【００３４】
画像処理部３２は、パーソナルコンピュータ等の外部装置から送信されたＰＤＬ形式の印刷ジョブデータを処理して、インクジェットヘッド２１Ｋ，２１Ｃ，２１Ｍ，２１Ｙがそれぞれ吐出する各色（Ｋ，Ｃ，Ｍ，Ｙ）のインクの吐出データを生成する。各色のインクの吐出データは、各画素に対して吐出する各色のインクのドロップ数を示すデータである。
【００３５】
画像処理部３２は、ＲＩＰ（Raster Image Processor）処理部４１と、吐出データ生成部４２と、記憶部４３とを備える。
【００３６】
ＲＩＰ処理部４１は、印刷ジョブデータをＲＩＰ処理して、Ｒ，Ｇ，Ｂの画像データ（印刷画像データに相当）を生成する。
【００３７】
吐出データ生成部４２は、Ｒ，Ｇ，Ｂの画像データに基づき、各色（Ｋ，Ｃ，Ｍ，Ｙ）のインクの吐出データを生成する。吐出データ生成部４２は、色変換部４６と、調整部４７と、ハーフトーン処理部４８とを備える。
【００３８】
色変換部４６は、ＲＩＰ処理部４１で生成されたＲ，Ｇ，Ｂの画像データをＣ，Ｍ，Ｙ，Ｋの画像データに変換する色変換処理を行う。
【００３９】
調整部４７は、印刷モードとしてクリアファイル対応モードが設定されている場合において、インク量調整処理を行う。クリアファイル対応モードは、印刷物によるクリアファイルの変形の抑制を重視した印刷を行うモードである。インクジェット印刷装置１では、印刷モードとしてクリアファイル対応モードまたは通常モードを、ユーザが操作パネル（図示せず）の操作等により選択設定可能になっている。通常モードは、インク量調整処理を行わずに吐出データを生成して印刷を行うモードである。
【００４０】
インク量調整処理は、クリアファイル変形インク量が閾値を超える場合に、クリアファイル変形インク量が閾値以下となるように、各色の吐出データにおける各色のインクの吐出量を調整する処理である。クリアファイル変形インク量は、印刷物によるクリアファイルの変形の度合いを示す指標である。クリアファイル変形インク量は、後述するように、各色の吐出データによる各色のインクの吐出量、および各色のインクのクリアファイル変形影響度に基づいて算出されるものである。
【００４１】
ハーフトーン処理部４８は、Ｃ，Ｍ，Ｙ，Ｋの画像データをハーフトーン処理して、各色のインクの吐出データを生成する。通常モードにおいては、ハーフトーン処理部４８は、色変換部４６で生成されたＣ，Ｍ，Ｙ，Ｋの画像データをハーフトーン処理する。クリアファイル対応モードにおいては、ハーフトーン処理部４８は、調整部４７によるインク量調整処理後のＣ，Ｍ，Ｙ，Ｋの画像データをハーフトーン処理する。
【００４２】
記憶部４３は、図４に示す置換テーブル５１を記憶している。置換テーブル５１は、インク量調整処理において行われる後述のインク置換処理により、ブラックインクの吐出量の一部をシアンインク、マゼンタインク、イエローインクの吐出量に置き換えるために使用されるものである。置換テーブル５１は、インク置換処理前のＣ，Ｍ，Ｙ，Ｋの画像データにおけるＫの値と、当該Ｋの値に基づき割り振られる各色の値との対応関係を示すテーブルである。
【００４３】
図４の置換テーブル５１において、最も左側のＫの列の値は、インク置換処理前のＫの値を示し、右側のＣ，Ｍ，Ｙ，Ｋの列の値は、インク置換処理前のＫの値に基づき割り振られるＣ，Ｍ，Ｙ，Ｋの値を示す。インク置換処理後（置換後）のＫの値は、インク置換処理前のＫの値よりも小さな値になる。すなわち、置換テーブル５１における最も右側のＫの列の値は、最も左側のＫの列の値よりも小さな値になっている。置換テーブル５１における、インク置換処理前のＫの値と、当該Ｋの値に基づき割り振られる各色の値との対応関係は、印刷画像の色の変化は抑えられるように決定されている。
【００４４】
ヘッド制御部３３は、吐出データ生成部４２で生成された各色のインクの吐出データに基づき、インクジェットヘッド２１Ｋ，２１Ｃ，２１Ｍ，２１Ｙを駆動させてインクを吐出させる。
【００４５】
次に、インクジェット印刷装置１の動作について説明する。
【００４６】
図５は、インクジェット印刷装置１の動作を説明するためのフローチャートである。図５のフローチャートの処理は、インクジェット印刷装置１が外部装置から印刷ジョブデータを受信することにより開始となる。
【００４７】
図５のステップＳ１において、画像処理部３２のＲＩＰ処理部４１は、印刷ジョブデータをＲＩＰ処理して、Ｒ，Ｇ，Ｂの画像データを生成する。
【００４８】
次いで、ステップＳ２において、色変換部４６は、Ｒ，Ｇ，Ｂの画像データをＣ，Ｍ，Ｙ，Ｋの画像データに変換する色変換処理を行う。
【００４９】
次いで、ステップＳ３において、調整部４７は、印刷モードとして通常モードが設定されているか否かを判断する。
【００５０】
通常モードが設定されていると調整部４７が判断した場合（ステップＳ３：ＹＥＳ）、ステップＳ４において、ハーフトーン処理部４８は、色変換部４６で生成されたＣ，Ｍ，Ｙ，Ｋの画像データをハーフトーン処理して、各色のインクの吐出データを生成する。
【００５１】
次いで、ステップＳ５において、ヘッド制御部３３は、インクジェットヘッド２１Ｋ，２１Ｃ，２１Ｍ，２１Ｙによる印刷を実行する。具体的には、ヘッド制御部３３は、吐出データに基づき、インクジェットヘッド２１Ｋ，２１Ｃ，２１Ｍ，２１Ｙを駆動させて、搬送部２により搬送される用紙Ｐにインクを吐出させる。これにより、一連の動作が終了となる。
【００５２】
ステップＳ３において、クリアファイル対応モードが設定されていると判断した場合（ステップＳ３：ＮＯ）、ステップＳ６において、調整部４７は、インク量調整処理を行う。インク量調整処理については後述する。
【００５３】
インク量調整処理が終了すると、ステップＳ４において、ハーフトーン処理部４８は、インク量調整処理後のＣ，Ｍ，Ｙ，Ｋの画像データをハーフトーン処理して、各色のインクの吐出データを生成する。この後、ステップＳ５において、印刷が行われ、一連の動作が終了となる。
【００５４】
次に、上述した図５のステップＳ６で行われるインク量調整処理について、図６のフローチャートを参照して説明する。
【００５５】
図６のステップＳ１１において、調整部４７は、印刷時の用紙順を示す変数ｘに「１」を設定する。
【００５６】
次いで、ステップＳ１２において、調整部４７は、ｘ枚目の用紙Ｐにおけるクリアファイル変形インク量Ｖｇを算出する。
【００５７】
ここで、クリアファイル変形インク量Ｖｇは、ブラックインク、シアンインク、マゼンタインク、イエローインクの色別クリアファイル変形インク量Ｖｋ，Ｖｃ，Ｖｍ，Ｖｙの合計であり、下記の式（１）で表される。
【００５８】
Ｖｇ＝Ｖｋ＋Ｖｃ＋Ｖｍ＋Ｖｙ  …（１）
色別クリアファイル変形インク量Ｖｋ，Ｖｃ，Ｖｍ，Ｖｙは、下記の式（２）〜式（５）でそれぞれ表される。
【００５９】
Ｖｋ＝Ｉｋ×αｋ  …（２）
Ｖｃ＝Ｉｃ×αｃ  …（３）
Ｖｍ＝Ｉｍ×αｍ  …（４）
Ｖｙ＝Ｉｙ×αｙ  …（５）
ここで、Ｉｋ，Ｉｃ，Ｉｍ，Ｉｙは、それぞれブラックインク、シアンインク、マゼンタインク、イエローインクのｘ枚目の用紙Ｐに対する吐出量である。また、αｋ，αｃ，αｍ，αｙは、それぞれブラックインク、シアンインク、マゼンタインク、イエローインクのクリアファイル変形影響度である。図３の例では、αｋ＝１、αｃ＝０．５、αｍ＝０．３、αｙ＝０．１である。
【００６０】
ｘ枚目の用紙Ｐにおけるクリアファイル変形インク量Ｖｇを算出するために、まず、調整部４７は、Ｃ，Ｍ，Ｙ，Ｋの画像データに基づき、ｘ枚目の用紙Ｐに対する各色のインクの吐出量Ｉｋ，Ｉｃ，Ｉｍ，Ｉｙを算出する。ここで、色変換部４６で生成されたＣ，Ｍ，Ｙ，Ｋの画像データは、各色のインクの最大吐出量に対する比率を画素ごとに示すデータである。調整部４７は、Ｃ，Ｍ，Ｙ，Ｋの画像データにおける各画素の値に基づき、各色のインクの吐出量Ｉｋ，Ｉｃ，Ｉｍ，Ｉｙを算出することができる。この吐出量Ｉｋ，Ｉｃ，Ｉｍ，Ｉｙは、ハーフトーン処理後の各色のインクの吐出データによる吐出量に相当するものである。
【００６１】
次いで、調整部４７は、吐出量Ｉｋ，Ｉｃ，Ｉｍ，Ｉｙのそれぞれに、対応する各色のインクのクリアファイル変形影響度αｋ，αｃ，αｍ，αｙを乗算して、色別クリアファイル変形インク量Ｖｋ，Ｖｃ，Ｖｍ，Ｖｙを算出する。ここで、クリアファイル変形影響度αｋ，αｃ，αｍ，αｙは、図示しない各色のインクカートリッジに設けられた記憶タグに記憶されている。調整部４７は、各色のインクカートリッジの記憶タグからクリアファイル変形影響度αｋ，αｃ，αｍ，αｙを読み出して使用する。なお、クリアファイル変形影響度αｋ，αｃ，αｍ，αｙを記憶するのはインクカートリッジの記憶タグに限らず、例えば、記憶部４３であってもよい。
【００６２】
次いで、調整部４７は、色別クリアファイル変形インク量Ｖｋ，Ｖｃ，Ｖｍ，Ｖｙを合計して、クリアファイル変形インク量Ｖｇを算出する。
【００６３】
次いで、ステップＳ１３において、調整部４７は、ステップＳ２で算出したクリアファイル変形インク量Ｖｇと閾値Ｖｔとを比較し、Ｖｇ＞Ｖｔであるか否かを判断する。
【００６４】
ここで、閾値Ｖｔは、クリアファイルの変形の度合いが許容範囲の上限となるクリアファイル変形インク量を、１枚のクリアファイルに対する最大挿入枚数で割った値である。クリアファイルの変形の度合いが許容範囲の上限となるクリアファイル変形インク量は、実験等に基づき算出されるものである。１枚のクリアファイルに対する最大挿入枚数は、１枚のクリアファイルに対して挿入される印刷物の枚数として最大と想定される枚数である。
【００６５】
クリアファイルの変形の度合いは、クリアファイルの種類（素材等）によって異なる。このため、閾値Ｖｔは、クリアファイルの種類に応じた値となる。インクジェット印刷装置１では、クリアファイルの種類ごとの閾値Ｖｔの値が、記憶部４３に記憶されている。調整部４７は、印刷ジョブデータに含まれるクリアファイルの種類の情報に基づき、クリアファイルの種類に応じた閾値Ｖｔを記憶部４３から読み出して使用する。
【００６６】
Ｖｇ≦Ｖｔであると判断した場合（ステップＳ１３：ＮＯ）、調整部４７は、後述のステップＳ２１へ進む。
【００６７】
Ｖｇ＞Ｖｔであると判断した場合（ステップＳ１３：ＹＥＳ）、ステップＳ１４において、調整部４７は、インク置換処理の実行回数を示す変数ｑに「１」を設定する。
【００６８】
次いで、ステップＳ１５において、調整部４７は、ｘ枚目の用紙Ｐに対応するＣ，Ｍ，Ｙ，Ｋの画像データに対して、インク置換処理を行う。インク置換処理は、ブラックインクの一部をシアンインク、マゼンタインク、イエローインクに置き換える処理である。
【００６９】
具体的には、調整部４７は、ｘ枚目の用紙Ｐに対応するＣ，Ｍ，Ｙ，Ｋの画像データにおける画素ごとのＫの値を、置換テーブル５１を参照して、Ｃ，Ｍ，Ｙ，Ｋの値に置き換える。例えば、インク置換処理前のＫの値が「ｎ」である画素の場合、調整部４７は、インク置換処理前のＣ，Ｍ，Ｙの値にそれぞれ「ｃｎ」、「ｍｎ」、「ｙｎ」を加算し、Ｋの値を「ｋｎ」に置き換える。
【００７０】
次いで、ステップＳ１６において、調整部４７は、インク置換処理後のｘ枚目の用紙Ｐに対応するＣ，Ｍ，Ｙ，Ｋの画像データに基づき、クリアファイル変形インク量Ｖｇを再計算する。
【００７１】
次いで、ステップＳ１７において、調整部４７は、ステップＳ１５で算出したクリアファイル変形インク量Ｖｇが閾値Ｖｔ以下であるか否かを判断する。Ｖｇ≦Ｖｔであると判断した場合（ステップＳ１７：ＹＥＳ）、調整部４７は、後述のステップＳ２１へ進む。
【００７２】
Ｖｇ＞Ｖｔであると判断した場合（ステップＳ１７：ＮＯ）、ステップＳ１８において、調整部４７は、変数ｑが、インク置換処理の上限回数を示す「Ｑ」であるかを判断する。ここで、上限回数Ｑは、インク置換処理を繰り返して実行する回数の上限として予め設定された値である。画像の内容によっては、インク置換処理を繰り返し行ってもＶｇ≦Ｖｔにならない可能性があるため、上限回数Ｑが設定されている。
【００７３】
ｑ＝Ｑではないと判断した場合（ステップＳ１８：ＮＯ）、ステップＳ１９において、調整部４７は、変数ｑに「１」を加算する。この後、調整部４７は、ステップＳ１５へ戻る。
【００７４】
ｑ＝Ｑであると判断した場合（ステップＳ１８：ＹＥＳ）、ステップＳ２０において、調整部４７は、インク置換処理後のｘ枚目の用紙Ｐに対応するＣ，Ｍ，Ｙ，Ｋの画像データに対して、インク削減処理を行う。
【００７５】
インク削減処理は、Ｖｇ≦Ｖｔとなるように、ブラックインク、シアンインク、マゼンタインク、イエローインクの吐出量を削減する処理である。具体的には、調整部４７は、Ｖｇ≦Ｖｔとなるまで、Ｃ，Ｍ，Ｙ，Ｋの画像データにおける各色の値を低減する。この際、調整部４７は、各色の値を均等に低減する。この後、調整部４７は、ステップＳ２１へ進む。
【００７６】
ステップＳ２１では、調整部４７は、変数ｘが、最終枚目の用紙Ｐであることを示す「Ｘ」であるか否かを判断する。
【００７７】
ｘ＝Ｘではないと判断した場合（ステップＳ２１：ＮＯ）、ステップＳ２２において、調整部４７は、変数ｘに「１」を加算する。この後、調整部４７は、ステップＳ１２へ戻る。
【００７８】
ｘ＝Ｘであると判断した場合（ステップＳ２１：ＹＥＳ）、調整部４７は、インク量調整処理を終了する。
【００７９】
以上説明したように、インクジェット印刷装置１では、吐出データ生成部４２の調整部４７は、クリアファイル変形インク量が閾値を超える場合、クリアファイル変形インク量が閾値以下となるように、インク量調整処理を行う。これにより、各色のインクのクリアファイル変形影響度に応じて、印刷物によるクリアファイルの変形の度合いが低減するように各色のインクの吐出量が調整されるので、印刷物によるクリアファイルの変形を軽減できる。
【００８０】
また、インクジェット印刷装置１では、４色（Ｋ，Ｃ，Ｍ，Ｙ）のインクのうち、印刷時の明度が最も低い色のインクであるブラックインクが、クリアファイル変形影響度が最も大きい。換言すれば、４色のインクのうち、ブラックインクが、表面張力が最も大きい。そして、調整部４７は、インク量調整処理において、ブラックインクの吐出量の一部をシアンインク、マゼンタインク、イエローインクの吐出量に置き換える。
【００８１】
このように、明度が最も低くミスト汚れが最も目立ちやすいブラックインクが、最も表面張力が大きく、インクミストが発生しにくいため、印刷物や装置内部のミスト汚れを抑えることができる。また、インク量調整処理において、クリアファイル変形影響度が最も大きいブラックインクの吐出量の一部を他の各色のインクの吐出量に置き換えることで、クリアファイル変形インク量を低減して、印刷物によるクリアファイルの変形を軽減できる。したがって、印刷物や装置内部のミスト汚れを抑えつつ、印刷物によるクリアファイルの変形を軽減できる。
【００８２】
なお、上述した実施の形態では、インクジェット印刷装置１が、それぞれブラック（Ｋ）、シアン（Ｃ）、マゼンタ（Ｍ）、イエロー（Ｙ）のインクを吐出する４つのインクジェットヘッド２１Ｋ，２１Ｃ，２１Ｍ，２１Ｙを備える構成について説明した。しかし、インクジェットヘッドの数（インクの色の数）、およびインクの色の組み合わせはこれに限らない。印刷部がインクジェットヘッドから複数色のインクを吐出するものであればよい。
【００８３】
また、上述した実施の形態では、印刷時の明度が最も低いブラックインクが、クリアファイル変形影響度（表面張力）が最も大きいインクであるとしたが、インクの印刷時の明度とクリアファイル変形影響度（表面張力）とが無関係であってもよい。
【００８４】
また、上述した実施の形態では、インク量調整処理のインク置換処理において、印刷時の明度が最も低くクリアファイル変形影響度（表面張力）が最も大きいインクであるブラックインクの吐出量の一部を他の各色のインクの吐出量に置き換えた。しかし、印刷時の明度が最も低くクリアファイル変形影響度が最も大きい色のインクの吐出量のすべてを他の色のインクの吐出量に置き換えてもよい。すなわち、印刷時の明度が最も低くクリアファイル変形影響度が最も大きい色のインクの吐出量の少なくとも一部を、少なくとも他の一色のインクの吐出量に置き換えるものとすればよい。
【００８５】
また、インク量調整処理のインク置換処理において、吐出量を置き換えるインクの組み合わせを、各色のインクの印刷時の明度およびクリアファイル変形影響度（表面張力）とは無関係としてもよい。
【００８６】
例えば、印刷時の明度が最も低い色のインクの吐出量の少なくとも一部を、当該インクと他の色のインクとのクリアファイル変形影響度の大小関係に関わらず、少なくとも他の一色のインクの吐出量に置き換えてもよい。この場合において、クリアファイル変形影響度の小さい色のインクに優先的に置き換えるようにしてもよい。
【００８７】
また、印刷時の明度が最も低い色以外の色のインクが、クリアファイル変形影響度が最も大きいインクである場合において、当該インクの吐出量を、印刷画像の色合いの変化をできるだけ抑えるように、少なくとも他の一色のインクの吐出量に置き換えてもよい。
【００８８】
また、上述した実施の形態では、インクジェットヘッド２１がマルチドロップ方式である場合で説明したが、これに限らない。インクジェットヘッドは、ノズルから吐出する１画素あたりのインクの吐出量を複数段階で調整可能なものであればよい。例えば、１画素あたりのインクの吐出量を、１回の吐出動作でノズルが吐出するインク滴の大きさにより複数段階で調整可能なものであってもよい。
【００８９】
また、上述した実施の形態では、インクジェット印刷装置１において、印刷画像データ（Ｒ，Ｇ，Ｂの画像データ）から吐出データを生成したが、パーソナルコンピュータ等の外部装置において、印刷画像データから吐出データを生成する処理を行ってもよい。
【００９０】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００９１】
［付記］
本出願は、以下の発明を開示する。
【００９２】
（付記１）
複数色のインクを吐出して印刷を行うインクジェット印刷装置による印刷に用いられる各色のインクの吐出データを、印刷画像データに基づき生成する吐出データ生成部を備え、
前記吐出データ生成部は、各色のインクの吐出データによる各色のインクの吐出量、および各色のインクのクリアファイルに対する変形させやすさを示すクリアファイル変形影響度に基づき算出されるクリアファイル変形インク量が閾値を超える場合、前記クリアファイル変形インク量が閾値以下となるように、各色のインクの吐出データによる各色のインクの吐出量を調整するインク量調整処理を行うことを特徴とする画像処理装置。
【００９３】
（付記２）
付記１に記載の画像処理装置と、
前記複数色のインクを吐出して印刷を行う印刷部とを備え、
前記複数色のインクのうち、印刷時の明度が最も低い色のインクが、前記クリアファイル変形影響度が最も大きく、
前記吐出データ生成部は、前記インク量調整処理において、印刷時の明度が最も低い色のインクの吐出量の少なくとも一部を、少なくとも他の一色のインクの吐出量に置き換える処理を行うことを特徴とするインクジェット印刷装置。
【符号の説明】
【００９４】
１  インクジェット印刷装置
２  搬送部
３  印刷部
４  制御部
２１，２１Ｋ，２１Ｃ，２１Ｍ，２１Ｙ  インクジェットヘッド
３１  メカ制御部
３２  画像処理部
３３  ヘッド制御部
４１  ＲＩＰ処理部
４２  吐出データ生成部
４３  記憶部
４６  色変換部
４７  調整部
４８  ハーフトーン処理部
５１  置換テーブル
【図１】
2020121426.tif 000003
【図２】
2020121426.tif 000004
【図３】
2020121426.tif 000005
【図４】
2020121426.tif 000006
【図５】
2020121426.tif 000007
【図６】
2020121426.tif 000008